Podtech/llm-jp-corpus-v4-ja_patent huggingface dataset:
【手続補正書】
【提出日】平成21年8月12日(2009.8.12)
【手続補正１】
【補正対象書類名】特許請求の範囲
【補正対象項目名】全文
【補正方法】変更
【補正の内容】
【特許請求の範囲】
【請求項１】
１層ずつ三次元物体を成形する方法であって、
ａ．構築される三次元物体の横断面層のビットマップ・データを形成するステップと、
ｂ．固化可能感光性樹脂構築材料を像形成エリアに受け渡すステップであって、前記固化可能感光性樹脂構築材料が、該固化可能感光性樹脂構築材料の固化に必要な臨界エネルギーを明確にするステップと、
ｃ．ただ１つの横断面層の前記ビットマップ・データを表す像を、放射源から、前記像形成エリア内の前記固化可能感光性樹脂構築材料上に投影することで、該像形成エリア内のピクセルに照射して、前記固化可能感光性樹脂構築材料を選択的に固化させるステップと、
ｄ．隣接するピクセルの輝度を設定することによりピクセル内のある点における前記臨界エネルギーと等しいかあるいはそれを超える所望の累積輝度を提供することで、サブピクセルの解像度とともに前記固構築材料の境界線重合を制御するステップと、
ｅ．複数の物体横断面を形成して、サブピクセル解像度を明確にする少なくとも１つの境界線がある物体を得るまで、ステップｂ、ステップｃ、ステップｄを、複数回、繰り返すステップと、
を含む方法。
【請求項２】
ステップ（ｄ）が、前記露光時間を、すべての境界線ピクセルに対して一定に保ちながら、前記放射源の前記境界線ピクセルの前記グレイスケールを変えることで、実行されることを特徴とする請求項１に記載の方法。
【請求項３】
少なくとも１つのステップ（ｄ）が、前記放射源の焦点を合わせて、ピクセル照射ごとに光分布の幅を制御するステップと、前記放射源によるグレイスケール露光のレベルを制御するステップと、前記放射源によるピクセルへの照射時間を制御するステップとを組み合わせることで、像形成エリア内の前記露光を制御するステップの組合せで実行されることを特徴とする請求項１に記載の方法。
【請求項４】
前記放射源が、デジタル・ライト・プロジェクタであることを特徴とする請求項１に記載の方法。
【請求項５】
前記境界線ピクセルでの前記グレイスケール値にランダム化が取り入れられることを特徴とする請求項１に記載の方法。
【請求項６】
１層ずつ三次元物体を成形する方法であって、
ａ．構築される三次元物体の横断面層のビットマップ・データを形成するステップと、
ｂ．ライト・プロジェクタを、像形成エリア内のそのピクセル焦点に対して特徴づけて、成形される前記物体のそれぞれのピクセル照射の光分布の幅を制御するステップと、
ｃ．前記像形成エリア内のそれぞれのピクセルへの露光中に伝えられる光エネルギーの量を制御するために、前記ライト・プロジェクタを、前記像形成エリア内のピクセルの輝度分布対グレイスケール・レベルに対して、また、前記像形成エリア内のそれぞれのピクセルへの照射時間に対して特徴づけるステップと、
ｄ．固化可能感光性樹脂構築材料を、放射線透過担持体により、像形成エリアに受け渡すステップであって、前記固化可能感光性樹脂構築材料が、該固化可能感光性樹脂構築材料の固化に必要な臨界エネルギーを明確にするステップと、
ｅ．横断面像データを表す像を、前記ライト・プロジェクタから投影して、像平面の露光の際に照射パターンでピクセルに照射して、前記液体媒体を選択的に固化させ、しかも、異なる露光パラメータを前記像平面の異なるエリアに施すことによって、および隣接するピクセルの輝度を設定することによりピクセル内のある点における前記臨界エネルギーと等しいかあるいはそれを超える所望の累積輝度を提供することによって、前記投影ピクセル中の前記感光性樹脂構築材料の前記重合境界線をサブピクセルの解像度とともに制御するステップと、
ｆ．前記三次元物体が構築されるまで、それぞれの横断面像データに対して、ステップ（ｄ）とステップ（ｅ）を繰り返すステップと、
を含む方法。
【請求項７】
前記ビットマップ・データが、
ｉ）構築される三次元物体のデジタルデータを受け取るステップ、
ｉｉ）前記デジタルデータを処理して、前記物体の横断面層を表すスライス・データを形成するステップ、
ｉｉｉ）前記スライス・データをビットマップ・データに変換するステップ、
により形成されることを特徴とする請求項６に記載の方法。
【請求項８】
前記固化可能感光性樹脂構築材料が、放射線透過担持体を通して像形成エリアに受け渡されることを特徴とする請求項６に記載の方法。
【請求項９】
前記横断面層イメージデータを表す画像が、前記放射線透過担持体を通して投影されることを特徴とする請求項８に記載の方法。
【請求項１０】
前記隣接するピクセルの輝度を設定するステップが、８つの隣接するピクセルの輝度を設定することを特徴とする請求項１に記載の方法。
【請求項１１】
前記隣接するピクセルの輝度を設定するステップが、８つの隣接するピクセルの輝度を設定することを特徴とする請求項６に記載の方法。
【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
転写媒体に設けられた基準マークに対して所定の位置関係を持って前記転写媒体に画像を印刷する印刷部と、
前記印刷部により前記転写媒体に印刷された画像を被転写体に転写する転写装置と、
前記基準マークを基準として前記転写媒体の検査領域を特定し、前記印刷部により前記転写媒体の検査領域に印刷された画像の良否を判別する検査部と、
を備えた印刷装置。
【請求項２】
転写媒体に設けられた基準マークに対して所定の位置関係を持って前記転写媒体に画像を印刷し、
前記基準マークを基準として前記転写媒体における検査領域を特定し、前記印刷部により前記転写媒体の検査領域に印刷された画像の良否を判別し、
前記判別により画像が良と判別された際、前記転写媒体に印刷された画像を被転写体に転写する印刷方法。
【手続補正書】
【提出日】平成21年9月10日(2009.9.10)
【手続補正１】
【補正対象書類名】特許請求の範囲
【補正対象項目名】全文
【補正方法】変更
【補正の内容】
【特許請求の範囲】
【請求項１】
画像を形成するための液滴を吐出する複数の第１ノズル列と、該複数の第１ノズル列に連通する複数の第１流路と、画像の形成に寄与しない液滴を吐出する複数の第２ノズル列と、該複数の第２ノズル列に連通する複数の第２流路と、基板を貫通し前記複数の第１流路および複数の第２流路に液体を供給する供給口と、
を有するインクジェット記録ヘッドにおいて、
前記供給口の短手方向の両側には前記第１流路および前記第１ノズル列が夫々配され、前記供給口の長手方向の両側には前記第２流路および前記第２ノズル列が夫々配されていることを特徴とするインクジェット記録ヘッド。
【請求項２】
前記第１流路および前記第２流路と前記供給口とを中継する中継エリアをさらに備えたことを特徴とする請求項１に記載のインクジェット記録ヘッド。
【請求項３】
前記供給口の、液体の供給方向と直交する方向の断面が、前記供給方向に向かって小さくなる形状であることを特徴とする請求項１又は２に記載のインクジェット記録ヘッド。
【手続補正２】
【補正対象書類名】明細書
【補正対象項目名】００３３
【補正方法】変更
【補正の内容】
【００３３】
上記課題を解決するために、本発明のインクジェット記録ヘッドは、画像を形成するための液滴を吐出する複数の第１ノズル列と、該複数の第１ノズル列に連通する複数の第１流路と、画像の形成に寄与しない液滴を吐出する複数の第２ノズル列と、該複数の第２ノズル列に連通する複数の第２流路と、基板を貫通し前記複数の第１流路および複数の第２流路に液体を供給する供給口と、
を有するインクジェット記録ヘッドにおいて、
前記供給口の短手方向の両側には前記第１流路および前記第１ノズル列が夫々配され、前記供給口の長手方向の両側には前記第２流路および前記第２ノズル列が夫々配されていることを特徴とする。
【手続補正３】
【補正対象書類名】明細書
【補正対象項目名】００３４
【補正方法】削除
【補正の内容】
【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
水分量を、予め印字時の温度・湿度における平衡水分量以下とした状態の記録用メディアにインクジェット印写するインクジェット記録方法であって、
前記記録用メディアが、支持体と、該支持体の少なくとも一方の面に塗工層を有する紙媒体であり、動的走査吸液計で測定した接触時間１００ｍｓにおける純水の前記記録用メディアへの転移量が２〜３５ｍｌ／ｍ２であり、かつ接触時間４００ｍｓにおける純水の前記記録用メディアへの転移量が３〜４０ｍｌ／ｍ２であることを特徴とするインクジェット記録方法。
【請求項２】
インクジェット印写する際の記録用メディア搬送方式が、帯電したベルトに該記録用メディアを静電的に吸着させるものであり、インクジェットインクは電気伝導度が２０００μＳ／ｃｍ以下のものであることを特徴とする請求項１に記載のインクジェット記録方法。
【請求項３】
記録用紙メディアを、予め強制的に印字時の温度・湿度における平衡水分量以下とする操作と、該操作を経た後の前記記録用メディアにインクジェット印写する操作とを含むことを特徴とする請求項１又は２に記載のインクジェット記録方法。
【請求項４】
さらに、印字後の前記記録用メディアを乾燥処理するための乾燥操作を含むことを特徴とする請求項１乃至３のいずれかに記載のインクジェット記録方法。
【請求項５】
記録用メディアの水分量を、平衡水分量の７５質量％以下とすることを特徴とする請求項１乃至４のいずれかに記載のインクジェット記録方法。
【手続補正２】
【補正対象書類名】明細書
【補正対象項目名】０００８
【補正方法】変更
【補正の内容】
【０００８】
すなわち、上記課題は、本発明の（１）「水分量を、予め印字時の温度・湿度における平衡水分量以下とした状態の記録用メディアにインクジェット印写するインクジェット記録方法であって、
前記記録用メディアが、支持体と、該支持体の少なくとも一方の面に塗工層を有する紙媒体であり、動的走査吸液計で測定した接触時間１００ｍｓにおける純水の前記記録用メディアへの転移量が２〜３５ｍｌ／ｍ２であり、かつ接触時間４００ｍｓにおける純水の前記記録用メディアへの転移量が３〜４０ｍｌ／ｍ２であることを特徴とするインクジェット記録方法」、
（２）「インクジェット印写する際の記録用メディア搬送方式が、帯電したベルトに該記録用メディアを静電的に吸着させるものであり、インクジェットインクは電気伝導度が２０００μＳ／ｃｍ以下のものであることを特徴とする前記第（１）項に記載のインクジェット記録方法」、
（３）「記録用紙メディアを、予め強制的に印字時の温度・湿度における平衡水分量以下とする操作と、該操作を経た後の前記記録用メディアにインクジェット印写する操作とを含むことを特徴とする前記第（１）項又は第（２）項に記載のインクジェット記録方法」、
（４）「さらに、印字後の前記記録用メディアを乾燥処理するための乾燥操作を含むことを特徴とする前記第（１）項乃至第（３）項のいずれかに記載のインクジェット記録方法
」、
（５）「記録用メディアの水分量を、平衡水分量の７５質量％以下とすることを特徴とする前記第（１）項乃至第（４）項のいずれかに記載のインクジェット記録方法」により達成される。
ここで、前記平衡水分量は、印字時の標準的な温度・湿度として、２３℃５０ＲＨ％で測定された値である。記録用メディアの該水分量は、平衡水分量の５０質量％以下であることがさらに好ましい。
さらに、本発明はつぎのような好ましい態様を包含する。
（６）「前記記録用メディアの強制乾燥操作が加熱操作であり、加熱後１分以内に印写することを特徴とする前記第（３）項乃至第（５）項のいずれかに記載のインクジェット記録方法」、
（７）「記録用紙メディアを、予め印字時の温度・湿度における平衡水分量以下とする水分低下手段と、該水分低下手段を経た後の前記記録用メディアにインクジェット印字する印写手段とを有することを特徴とするインクジェット記録装置」、
（８）「さらに、印字後の前記記録用メディアを乾燥処理するための乾燥手段を有することを特徴とする前記第（７）項に記載のインクジェット記録装置」、
（９）「前記インクが、少なくとも着色剤、水分散性樹脂、湿潤剤、界面活性剤、及び水を含有し、該界面活性剤がシリコン系あるいはフッ素系界面活性剤であることを特徴とする前記第（１）項乃至（６）項のいずれかに記載のインクジェット記録用インク」。
【手続補正３】
【補正対象書類名】明細書
【補正対象項目名】０００９
【補正方法】変更
【補正の内容】
【０００９】
以下の詳細かつ具体的な説明から明らかなように、
（１）、（３）及び（７）により、紙を加熱で平衡水分量以下とすることにより印字後の乾燥性が向上。画像濃度ムラが減る。すなわち、記録用メディアが、支持体と、該支持体の少なくとも一方の面に塗工層を有してなり、動的走査吸液計で測定した接触時間１００ｍｓにおける純水の前記記録用メディアへの転移量が２〜３５ｍｌ／ｍ２であり、かつ接触時間４００ｍｓにおける純水の前記記録用メディアへの転移量が３〜４０ｍｌ／ｍ２である紙は乾燥性が悪いが、本発明により乾燥性が改良する；
（２）により、さらに、紙搬送方式が帯電したベルトに紙を静電的に吸着させる方式の場合、このように紙を乾燥させると、印字時にミストが発生しやすく、このミストを防止するためには少なくともインクの電気伝導度が２０００μＳ／ｃｍ以下のインクジェットインクが好ましいことがわかった；
また、（４）及び（８）により、さらに印字後の記録媒体も乾燥させると両面印写が速やかに行われる。その乾燥する空間は印字前と同じ空間でも別の空間でも可能である。
（５）により、印字環境の温度・湿度の平衡水分量の７５％以下とすると印字画像の印字後の乾燥性が向上し濃度ムラが抑制され、他の部材への転写も起こりにくくなる。前記のように、印字環境の温度・湿度の平衡水分量の５０％以下であることがさらに好ましい；
（６）により、乾燥後の、紙の水分吸収速度は意外と速く、加熱後１分以内に印字しないと画像の乾燥速度を実用的なレベルにできないことがわかった；
また、（９）により、インクはシリコン系あるいはフッ素系界面活性剤で低表面張力としたものが、加熱乾燥と相まって高速の高画質印字に向いていることがわかった；
という極めて優れた効果を奏するものである。
【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
画像データを入力する入力手段と；
上記入力手段で入力した画像データが表す画像を、円形状のディスクメディアの記録領域に記録する記録手段と；
上記記録領域の一部分であって、上記記録領域の端部に、余白領域を設ける余白領域設定手段と；
上記記録領域のうちで、上記余白領域を除いた領域に、上記入力手段で入力した画像データが表す画像を配置してディスクメディアの中心部と上記入力手段で入力した画像データが表す画像の中心部とをずらして記録するように上記記録手段を制御する制御手段と；
を有することを特徴とする画像記録装置。
【請求項２】
請求項１において、
上記入力手段で入力した画像データが表す画像が縦長画像であるか横長画像であるかを判定する判定手段を有し、
上記余白領域設定手段は、上記判定手段による判定結果に従った位置に、上記余白領域を設けることを特徴とする画像記録装置。
【請求項３】
請求項２において、
上記余白領域設定手段は、上記判定手段により入力手段で入力した画像データが表す画像が横長画像であると判定された場合、上記記録領域の上部または下部に上記余白領域を設け、一方、上記判定手段により入力手段で入力した画像データが表す画像が縦長画像であると判定された場合、上記記録領域の左部または右部に上記余白領域を設けることを特徴とする画像記録装置。
【請求項４】
請求項３において、
上記余白領域設定手段は、上記判定手段により入力手段で入力した画像データが表す画像が横長画像であると判定された場合、上記余白領域を上下のどちら側に設けるかを選択可能であり、一方、上記判定手段により入力手段で入力した画像データが表す画像が縦長画像であると判定された場合、上記余白領域を左右のどちら側に設けるかを選択可能であることを特徴とする画像記録装置。
【請求項５】
請求項１から請求項４のいずれか１項において、
上記余白領域設定手段は、上記余白領域の大きさを、ユーザによる指示に基づき設定することを特徴とする画像記録装置。
【請求項６】
請求項１から請求項５のいずれか１項において、
上記制御手段は、上記ディスクメディアの記録領域のうちで、外周が所定の矩形領域の３辺に内接する領域を、画像配置領域とし、上記所定の矩形領域以外の領域を上記余白領域とすることを特徴とする画像記録装置。
【請求項７】
請求項５において、
上記制御手段は、上記入力手段で入力した画像データに基づく画像を、所定の矩形領域に応じて相似変換し、相似変換後の画像のうちで、画像配置領域と重なる部分を切り出して記録するように上記記録手段を制御することを特徴とする画像記録装置。
【請求項８】
請求項１から請求項７のいずれか１項において、
上記入力手段で入力した画像データが表す画像に含まれる被写体の中心位置を検出する中心位置検出手段を有し、
上記余白領域設定手段は、上記入力手段で入力した画像データが表す画像の外形をなす長方形の２つの長辺のうちで、上記中心位置検出手段で検出した被写体の中心位置から遠い側の長辺の外側に、上記余白領域を設けることを特徴とする画像記録装置。
【請求項９】
円形状のディスクメディアの記録領域に画像を記録するための画像記録方法であって、
画像データを入力する入力工程と；
上記記録領域の一部分であって、上記記録領域の端部に、余白領域を設ける余白領域設定工程と；
上記記録領域のうちで、上記余白領域を除いた領域に、上記入力工程で入力した画像データが表す画像を配置してディスクメディアの中心部と上記入力工程で入力した画像データが表す画像の中心部とをずらして記録させる工程と；
を有することを特徴とする画像記録方法。
【請求項１０】
請求項９に記載の画像記録方法の各工程を、コンピュータにより実行させることを特徴とするコンピュータプログラム。
【手続補正２】
【補正対象書類名】明細書
【補正対象項目名】発明の名称
【補正方法】変更
【補正の内容】
【発明の名称】画像記録装置及び画像記録方法並びにコンピュータプログラム
【手続補正３】
【補正対象書類名】明細書
【補正対象項目名】００１５
【補正方法】変更
【補正の内容】
【００１５】
本発明は、画像データを入力する入力手段と、上記入力手段で入力した画像データが表す画像を、円形状のディスクメディアの記録領域に記録する記録手段と、上記記録領域の一部分であって、上記記録領域の端部に、余白領域を設ける余白領域設定手段と、上記記録領域のうちで、上記余白領域を除いた領域に、上記入力手段で入力した画像データが表す画像を配置してディスクメディアの中心部と上記入力手段で入力した画像データが表す画像の中心部とをずらして記録するように上記記録手段を制御する制御手段とを有することを特徴とする画像記録装置である。
【手続補正書】
【提出日】平成21年3月27日(2009.3.27)
【手続補正１】
【補正対象書類名】明細書
【補正対象項目名】００２２
【補正方法】変更
【補正の内容】
【００２２】
１はその型締装置であり、可動プラテン４の背面に型締軸１０を一体に備え、その型締軸を支持プラテン３に対して移動することによってその可動プラテンを固定プラテン２に対して型開閉し型締めする装置である。固定プラテン２と支持プラテン３とはタイバー５によって連結される。６は固定プラテン２と可動プラテン４との間に取り付けられた金型である。
【手続補正書】
【提出日】平成21年3月19日(2009.3.19)
【手続補正１】
【補正対象書類名】明細書
【補正対象項目名】０００４
【補正方法】変更
【補正の内容】
【０００４】
前述した金型の型締め時に形成されるキャビティに、粒状の樹脂であるペレットを溶融樹脂として供給する際には射出ユニットが用いられ、この射出ユニットには、駆動源たるモータなどの駆動手段が備えられ、モータの回転力をプーリやベルトなどを介して順次伝達させ、回転運動を直線運動に変換するボールネジ機構などにより、加熱シリンダ内のスクリューを回転させることにより溶融樹脂を搬送させ、次に溶融樹脂をノズルから型締めユニットに設けられた金型間のキャビティに射出するようになっている。
【手続補正書】
【提出日】平成21年7月7日(2009.7.7)
【手続補正１】
【補正対象書類名】特許請求の範囲
【補正対象項目名】全文
【補正方法】変更
【補正の内容】
【特許請求の範囲】
【請求項１】
プリントヘッドを備えるキャリッジを主走査方向に走査して印刷を行い、固有の共振周波数を有する印刷装置において、
上記キャリッジを駆動するキャリッジモータと、
上記キャリッジの走査速度を停止状態から上記共振周波数に基づく共振振動が発生する速度を超えない所定の速度まで加速、および、上記所定の速度から停止するまで減速させると共に、前記停止状態から上記共振振動発生までの移動距離が異なる複数の速度データパターンを記憶する記憶手段と、
上記速度データパターン基づいて上記キャリッジモータの駆動を制御する制御手段と、
を備え、
上記制御手段は、上記速度データパターンを切り替えて上記加速にかかる時間または上記減速にかかる時間のうちの少なくとも一方を、上記キャリッジの往路あるいは往復路の単位で異なるように制御することを特徴とする印刷装置。
【請求項２】
印刷媒体のサイズまたは種類を検出する印刷媒体認識出手段をさらに備え、
前記制御手段は、上記印刷媒体認識出手段による検出結果に基づいて、前記速度データパターンを切り替えることを特徴とする請求項１記載の印刷装置。
【請求項３】
前記制御手段は、インクの吐出量に基づいて、前記速度データパターンを切り替えることを特徴とする請求項１記載の印刷装置。
【手続補正２】
【補正対象書類名】明細書
【補正対象項目名】００３４
【補正方法】変更
【補正の内容】
【００３４】
図４は、図１に示すＣＲモータ４を制御する制御部３７の概略構成を示す図である。図５は、キャリッジ３を走査する速度曲線を表す図であり、（Ａ）は、キャリッジ３の加速時の速度曲線を表す図であり、（Ｂ）は、キャリッジ３が加速し、定速で移動した後の減速時の速度曲線を表す図である。図５において、横軸はキャリッジ３の駆動開始をゼロとしたときの時刻を表しており、縦軸はキャリッジ３の走査速度を表している。
【手続補正３】
【補正対象書類名】明細書
【補正対象項目名】００４５
【補正方法】変更
【補正の内容】
【００４５】
本実施の形態では、キャリッジ３を主走査方向ＭＳでホームポジション側から反ホームポジション側へ走査する往路において、プリントヘッド２からインク滴を吐出し、印刷用紙Ｐに印刷を行う、いわゆる単方向印刷を前提としている。インク滴の吐出は、図５（Ａ
）における時刻Ｅ１から、図５における時刻Ｅ２の範囲で可能である。すなわち、印刷できる領域は、時刻Ｅ１〜Ｅ２の間にキャリッジ３が移動する領域となる。ＣＰＵ３９による切り替えの演算は、キャリッジ３が主走査方向ＭＳで反ホームポジション側に到達した時点で行われる。また、単方向印刷では、キャリッジ３を主走査方向ＭＳで反ホームポジション側からホームポジション側への復路への走査中に、印刷用紙Ｐの副走査方向ＳＳへの紙送りが行われる。この復路においては、印刷用紙Ｐへの印刷は行われない。印刷用紙Ｐへの印刷は、これらの動作の繰り返しによって行われる。印刷が終了すると、印刷用紙Ｐは、排紙駆動ローラ１５等によってプリンタ１の外部へ排出される。
【手続補正４】
【補正対象書類名】明細書
【補正対象項目名】００５４
【補正方法】変更
【補正の内容】
【００５４】
上述したように、Ｄ１〜Ｄ４およびＤ５〜Ｄ８のそれぞれは、プリンタ１が共振振動を起こす点である。そのため、Ｄ１〜Ｄ４およびＤ５〜Ｄ８では、キャリッジ３が振動し、印刷にムラが生じる可能性がある。同じ速度曲線を用いた場合には、同じ時刻に共振振動が発生するため、図７（Ａ）に示すように、共振振動を起こす点が副走査方向ＳＳに沿って一列に並び、印刷用紙Ｐにおいて虹ムラが現れる。一方、ＣＰＵ３９の切り替えにより速度曲線Ａ１〜Ａ４を用いて印刷が行われた場合には、図７（Ｂ）に示すように、点Ｄ１〜Ｄ４および点Ｄ５〜Ｄ８のそれぞれは、印刷用紙Ｐにおける主走査方向ＭＳに分散され、副走査方向ＳＳに沿って一列に並ぶことはない。そのため、印刷後の印刷用紙Ｐに虹ムラは現れない。
【手続補正５】
【補正対象書類名】明細書
【補正対象項目名】００６４
【補正方法】変更
【補正の内容】
【００６４】
本実施の形態では、キャリッジ３が主走査方向ＭＳでホームポジション側から反ホームポジション側へ移動する往路において、プリントヘッド２からインク滴を吐出し、印刷用紙Ｐに印刷を行う、いわゆる単方向印刷を前提としている。インク滴の吐出は、図１０（Ａ）における時刻Ｅ３から、図１０（Ｂ）における時刻Ｅ４の範囲で可能である。すなわち、印刷できる領域は、時刻Ｅ３〜Ｅ４の間にキャリッジ３が移動する領域となる。ＣＰＵ３９による切り替えの演算は、キャリッジ３が主走査方向ＭＳで反ホームポジション側に到達した時点で行われる。
【手続補正６】
【補正対象書類名】明細書
【補正対象項目名】０１１０
【補正方法】変更
【補正の内容】
【０１１０】
本実施の形態では、キャリッジ３が主走査方向ＭＳでホームポジション側から反ホームポジション側へ移動する往路において、プリントヘッド２からインク滴を吐出し、印刷用紙Ｐへ印刷を行う、いわゆる単方向印刷を前提としている。インク滴の吐出は、図１６（Ａ）における時刻Ｅ５から、図１６（Ｂ）における時刻Ｅ６の範囲で可能である。すなわち、印刷できる領域は、時刻Ｅ５〜Ｅ６の間にキャリッジ３が移動する領域となる。ＣＰＵ３９による切り替えの演算は、キャリッジ３が主走査方向ＭＳで反ホームポジション側に到達した時点で行われる。
【手続補正７】
【補正対象書類名】図面
【補正対象項目名】図６
【補正方法】変更
【補正の内容】
【図６】
2008068411.tif 000001
【手続補正８】
【補正対象書類名】図面
【補正対象項目名】図７
【補正方法】変更
【補正の内容】
【図７】
2008068411.tif 000002
【手続補正９】
【補正対象書類名】図面
【補正対象項目名】図９
【補正方法】変更
【補正の内容】
【図９】
2008068411.tif 000003
【手続補正１０】
【補正対象書類名】図面
【補正対象項目名】図１３
【補正方法】変更
【補正の内容】
【図１３】
2008068411.tif 000004
【手続補正書】
【提出日】平成21年7月6日(2009.7.6)
【手続補正１】
【補正対象書類名】特許請求の範囲
【補正対象項目名】全文
【補正方法】変更
【補正の内容】
【特許請求の範囲】
【請求項１】
当該印刷装置内の所定の部材を２つの所定の制御位置あるいは３つの所定の制御位置の間で切り替えるための駆動力を発生する駆動モータと、
上記駆動モータにより上記所定の部材とともに回転駆動される略円板形状のフラグ本体、上記フラグ本体から半径方向外側へ突出する大弧フラグ部、および上記大弧フラグ部より上記フラグ本体の回転方向での幅が狭く形成されて、上記大弧フラグ部を基準として上記フラグ本体の回転方向の一方側に配列される複数の小弧フラグ部を有するフラグ部材と、  上記所定の部材が上記２つの所定の制御位置の間で切り替えられるときに上記複数の小弧フラグ部の配列区間を検出し、あるいは上記所定の部材が上記３つの所定の制御位置の内の真中の所定の制御位置となるときに上記複数の小弧フラグ部の配列区間を検出するセンサと、経過時間を計測するタイマと、上記駆動モータによる上記所定の部材および上記フラグ部材の駆動を開始させた後に、上記タイマにより計測される所定の長さの判断時間の間に上記センサの検出レベルが変化するか否か、あるいは上記センサの検出レベルが変化するまでの上記タイマにより計測される判断時間の長さに基づいて、上記センサが上記複数の小弧フラグ部の配列区間を検出しているか否かを判断し、さらにその判断結果および上記センサの検出レベルに基づいて上記所定の部材あるいは上記フラグ部材の位置を判断する制御手段と、を有することを特徴とする印刷装置。
【請求項２】
前記所定の部材は、搬送ローラに接する当接制御位置と、上記搬送ローラから離間する離間制御位置との間で切り替えられる従動ローラであり、前記センサは、上記従動ローラが上記当接制御位置と上記離間制御位置との間で切り替えられるときに上記複数の小弧フラグ部の配列区間を検出すること、を特徴とする請求項１の印刷装置。
【請求項３】
略平板形状に形成され、印刷媒体の搬送方向と略垂直な方向に沿った軸の周囲で回転可能に配設され、前記従動ローラを回転可能に保持するプラスチック樹脂製のフラップ部材と、前記従動ローラを前記搬送ローラへ圧接するように上記フラップ部材に付勢力を作用させるバネ部材と、を有し、前記制御手段は、当該印刷装置の起動時、および厚さのある印刷媒体を搬送するために前記離間制御位置に制御した後に所定のタイムアウト時間が経過した時に、前記従動ローラが前記当接制御位置となるように前記駆動モータを制御することを特徴とする請求項２記載の印刷装置。
【請求項４】
前記制御手段は、前記駆動モータの駆動を開始する時点での前記センサの検出レベルが前記大弧フラグ部を検出したときのレベルと同じレベルである場合、前記フラグ部材を前記大弧フラグ部から前記複数の小弧フラグ部へ向かわせる方向へ前記駆動モータを回転させ、それ以外の検出レベルである場合、前記フラグ部材を前記複数の小弧フラグ部から前記大弧フラグ部へ向かう方向へ前記駆動モータを回転させることを特徴とする請求項１から３の中のいずれか１項記載の印刷装置。
【請求項５】
印刷装置に設けられ、駆動モータの駆動により２つの所定の制御位置あるいは３つの所定の制御位置の間で切り替えられる所定の部材の制御位置切替方法であって、略円板形状の部材のフラグ本体から半径方向外側へ突出するように大弧フラグ部および複数の小弧フラグ部がその順番で配設されたフラグ部材を、上記所定の部材が上記２つの所定の制御位置の間で切り替えられるときにあるいは上記所定の部材が上記３つの所定の制御位置の内の真中の所定の制御位置となるときに上記複数の小弧フラグ部の配列区間がセンサにより検出されるように、上記駆動モータにより上記所定の部材とともに回転駆動するステップと、上記駆動開始後の上記タイマにより計測される所定の長さの判断時間の間に上記センサの検出レベルが変化するか否か、あるいは上記センサの検出レベルが変化するまでの上記タイマにより計測される判断時間の長さに基づいて、上記センサが上記複数の小弧フラグ部の配列区間を検出しているか否かを判断するステップと、上記センサが上記複数の小弧フラグ部の配列区間を検出していない場合、上記センサの検出レベルに応じて上記所定の部材の位置あるいは上記フラグ部材の位置を判断するステップと、を有することを特徴とする印刷装置の所定の部材の制御位置切替方法。
【手続補正書】
【提出日】平成21年1月28日(2009.1.28)
【手続補正１】
【補正対象書類名】特許請求の範囲
【補正対象項目名】請求項１
【補正方法】変更
【補正の内容】
【請求項１】
空気管路内に、第１の酸素クラスター層と、光触媒層と、第２の酸素クラスター層と、ケミカルフィルターとを順に配列して内装された有機物の分解・除去装置であって、
前記第１の酸素クラスター層は、主として発生した（Ｏ−）を光触媒層に供給する機能を有するものであり、
前記光触媒層は、紫外線を照射したときに発生する活性酸素種（・Ｏ−、O2−・OH、・O2H）と、第１の酸素クラスター層から供給された多量の（Ｏ−）イオンの作用によって有機物を分解するものであり、
前記第２の酸素クラスター層は、光触媒層を通過した後に残存する有機物を分解するものであり、
前記ケミカルフィルターは、有機物の分解によって、生成した分解生成物の酸化物を捕捉するものであることを特徴とする有機物の分解・除去装置。
【手続補正２】
【補正対象書類名】明細書
【補正対象項目名】０００１
【補正方法】変更
【補正の内容】
【０００１】
本発明は、空気中に浮遊する有機物を分解・除去する装置に関する。
【手続補正３】
【補正対象書類名】明細書
【補正対象項目名】０００６
【補正方法】変更
【補正の内容】
【０００６】
解決しようとする問題点は、環境を汚染する空気中の微量の有機物を捕集・除去する手法が確立されていなかった点である。
【手続補正４】
【補正対象書類名】明細書
【補正対象項目名】０００７
【補正方法】変更
【補正の内容】
【０００７】
本発明は、光触媒と、酸素クラスターとの併用による相互作用を利用して、環境を汚染する有機物の分解効率を上げることを最も主要な特徴とする。
【手続補正５】
【補正対象書類名】明細書
【補正対象項目名】０００８
【補正方法】変更
【補正の内容】
【０００８】
本発明による有機物の除去方法によれば、光触媒と、酸素クラスターとの組み合わせにより、それぞれの特性を生かして環境を汚染する有機物の濃度が高濃度、大量であっても有効に分解し、最終的にケミカルフィルターによって除去することができ、この結果、クリーンルーム内で製造する半導体製品の歩留まり、品質、信頼性を向上できる。また、同様の作用・効果は、前記ケミカルフィルターに代え、ウォータシャワーを用いることによっても実現できる。
【手続補正６】
【補正対象書類名】明細書
【補正対象項目名】０００９
【補正方法】変更
【補正の内容】
【０００９】
環境を汚染する有機物を有効に分解するという目的を、酸素クラスターの有する機能の一部を利用して光触媒の有機物の分解機能を高めることによって実現した。
【手続補正７】
【補正対象書類名】明細書
【補正対象項目名】００２２
【補正方法】変更
【補正の内容】
【００２２】
以上実施例においては、空気管路内にクリーンルームの空気を循環させつつ浄化する例を説明したがこれに限らない。本発明は、ウォーターシャワー（水シャワー）の設備と併用することもできる。ウォーターシャワーの水膜に空気を通過させるだけでは、空気中に含まれる有機物を除去することはできないが、第１の酸素クラスター層３と、光触媒層４と、第２の酸素クラスター層５との組合せを空気管路２内に配列することによって構成された本発明のシステムを図３に示すようにウォーターシャワー９の前段に設置すると、有機物は光触媒層４あるいは第２の酸素クラスター層５の活性酸素種と結合した酸化物（例えば、ＳＯ4、ＮＯ3など）となり、これらの酸化物を水膜に捕捉させて容易に除去することができる。この場合にはケミカルフィルターは不要となる。すなわち、結果的には、ウォーターシャワー９をケミカルフィルターに代えることができる。
【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
イ）多構成要素眼内レンズの構成要素を受ける寸法および形状を有する第一台および第二台を有する本体、
ロ）第一台および第二台をそれぞれ被覆する第一蓋および第二蓋、
ハ）前記本体の先端上のノズル、
ニ）第一台に連結されかつ第一台内で往復運動するように構成されたリングプッシャ、および
ホ）第二台に連結されたプランジャを含む、
眼内レンズ送出システム。
【請求項２】
前記リングプッシャは前記プランジャの運動を阻止するタブを含む、請求項１の眼内レンズ送出システム。
【請求項３】
前記プランジャはガイド棒を更に含む、請求項１の眼内レンズ送出システム。
【請求項４】
前記本体を受ける切欠きを有するハンドピースを更に含む、請求項１の眼内レンズ送出システム。
【請求項５】
前記ハンドピースは、前記本体が前記ハンドピースの切欠き内に設置されるときに前記プランジャの運動を可能にするバンパを更に含む、請求項４の眼内レンズ送出システム。
【請求項６】
前記本体を受けるためのプランジャ棒および切欠きを有するハンドピースを更に含む、請求項３の眼内レンズ送出システム。
【請求項７】
前記プランジャ棒は、前記本体が前記切欠き内に設置されかつ前記プランジャ棒が前記ハンドピースへ前進するときに、前記ガイド棒へ伸長する、請求項６の眼内レンズ送出システム。
【請求項８】
イ）多構成要素眼内レンズの構成要素を受ける寸法および形状を有する第一台および第二台を有する本体、
ロ）第一台および第二台をそれぞれ被覆する第一蓋および第二蓋、
ハ）前記本体の先端上のノズル、
ニ）タブを含みかつ第一台に連結されかつ第一台内で往復運動するように構成されたリングプッシャ、
ホ）第二台に連結されたガイド棒を有するプランジャ、および
ヘ）前記リングプッシャの運動を阻止するための取外し自在の輸送ロックを含む、眼内レンズ送出システム。
【請求項９】
前記本体を受ける切欠きを有するハンドピースを更に含む、請求項８の眼内レンズ送出システム。
【請求項１０】
前記ハンドピースは、前記本体が前記ハンドピースの切欠き内に設置されるときに前記プランジャの運動を可能にするバンパを更に含む、請求項９の眼内レンズ送出システム。
【請求項１１】
プランジャ棒、および前記本体を受ける切欠きを有するハンドピースを更に含む、請求項８の眼内レンズ送出システム。
【請求項１２】
前記プランジャ棒は、前記本体が前記切欠き内に設置されかつ前記プランジャ棒が前記ハンドピースを介して前進するときに、前記ガイド棒へ伸長する、請求項１１の眼内レンズ送出システム。
【請求項１３】
前記輸送ロックは第二台内に収容された眼内レンズシステムのレンズ部の移動の阻止を補助するためのストッパを有する、請求項８の眼内レンズ送出システム。
【請求項１４】
前記リングプッシャの運動を阻止するための取外し自在の輸送ロックを更に含む、請求項１の眼内レンズ送出システム。
【手続補正２】
【補正対象書類名】明細書
【補正対象項目名】００１２
【補正方法】変更
【補正の内容】
【００１２】
図１を参照すると、本発明のレンズ送出システム１０は、概ねカートリッジ本体１２、リングプッシャ１４、プランジャ１６、および輸送ロック（shipping lock)１８を含む。カートリッジ本体１２は、概ね、先端ノズル２０、リング折り畳み台２２、および開放レンズ折り畳み台２４を含む。多構成要素眼内レンズのリング部２６はリング折り畳み台２２内に設置され、かつリングプッシャ１４によりそしてリング台蓋２８をリング折り畳み台２２上に折り畳み、かつ留め金３６により蓋２８を所定位置に保持することにより固定し、それにより図３に示されたようにリング部２６をリング折り畳み台２２内に収容する。多構成要素眼内レンズのレンズ部３０は、レンズ折り畳み台２４内に設置されかつ輸送ロック１８上にストッパ３２によって、図３に示されたように、レンズ折り畳み台２４上にレンズ折り畳み台蓋３４を折り畳むことにより固定される。蓋３４は、留め金３８により折り畳んだ位置において適所に保持される。
【手続補正３】
【補正対象書類名】明細書
【補正対象項目名】００１４
【補正方法】変更
【補正の内容】
【００１４】
図５および６に最良に示されたように、ハンドピース(handpiece)１００は、管状体１０２、プッシャ棒１０４、およびフィンガリング１０６で概ね構成されるレンズ送出システム１０の一部として使用される。図６に示されたように、管状体１０２の先端は、例えば本体１２上の係止タブ(locking tab)５０の使用により、本体１２を受けかつ確実に保持する寸法および形状で形成された切欠き部１１０を有する。先端１０８は、更に、バンパ１１２を含み、バンパ１１２は後述の機能を有する。プランジャ棒１０４はフィンガリング１０６を押すことにより管状体１０２内で往復する。プランジャ棒１０４は、触覚フィードバックを提供するためにバネ（図示せず）上で管状体１０２内に取付けられてよい。
【手続補正４】
【補正対象書類名】明細書
【補正対象項目名】００１５
【補正方法】変更
【補正の内容】
【００１５】
使用時に、輸送ロック１８およびプランジャ１６は、図１および２に示された方法で本体１２上に設置される。リング部２６およびレンズ部３０は図２に示されたように本体１２内に設置され、かつ図３に示されたように蓋２８および３４が閉鎖される。輸送ロック１８は運搬中のリングプッシャ１４の移動を阻止し、かつリングプッシャ１４上のタブ６０はプランジャ１６の前方移動を阻止する。ストッパ３２およびプランジャガイド棒７０は運搬時のレンズ部３０の移動を防止する。使用準備時には、輸送ロック１８は取り外され、かつリングプッシャ１４が、図４に示されたように、内方へ付勢され、かつ留め金１９により所定位置に係止される。リングプッシャ１４のかかる移動は、リング部２６を折り曲げまたは折り畳み、リング部２６のノズル２０へのフイットを可能にする。かかる運動は、更に、タブ６０内の切欠き６２とプランジャ１６を整合させ、プランジャ１６の前方移動を可能にする。粘着弾性材料はポート４０および４２からノズル２０へ導入される。本体１２は、図８に示されたように、ハンドピース１００の先端１０８の切欠き部１１０内に設置される。かかる設置によりプランジャ棒１６はバンパ１１２と接触しかつそれにより僅かに前方へ押される。かかる運動が、レンズ部３０を僅かに前方へ押し、レンズ部３０の折り畳みを開始する。プランジャ棒１０４はガイド棒によって前進しかつ誘導されてレンズ部３０と接触する。プランジャ棒１０４の続く移動はレンズ部３０を本体１２の内孔８０へ付勢し、圧縮リング部２６と接触させかつリング部２６を押し、続いてレンズ部３０を連続的にノズル２０の外へ押し出す。
【手続補正書】
【提出日】平成21年8月26日(2009.8.26)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
遊技媒体の受入を検出する受入検出手段と、
前記絵柄の循環表示を開始させるべく操作される始動操作手段と、
前記絵柄の循環表示を停止させるべく操作される停止操作手段と、
役の当否判定に用いる当否判定情報を記憶する当否判定情報記憶手段と、
前記遊技媒体の受入と前記始動操作手段の操作に基づき、前記当否判定情報を用いて役の抽選を行う抽選手段と、
前記始動操作手段の操作に基づいて前記絵柄の循環表示を開始させると共に、前記停止操作手段の操作に基づいて前記絵柄の循環表示を停止させるよう前記循環表示手段を表示制御する表示制御手段と、
前記絵柄の循環表示が停止し、入賞成立となる絵柄又は絵柄の組合せが予め定めた有効位置に停止したか否かを判定する入賞判定手段と、
前記役の抽選結果が所定役当選であって前記入賞判定手段が所定役入賞成立と判定した場合、遊技媒体を付与する遊技媒体付与手段と、
前記役の抽選結果が再遊技役当選であって前記入賞判定手段が再遊技役入賞成立と判定した場合、前記遊技媒体の受入を検出することなく次回の遊技を可能とする再遊技設定手段と、
前記役の抽選結果が特定役当選であって前記入賞判定手段が特定役入賞成立と判定した場合、遊技状態を通常遊技状態から遊技者に有利な特別遊技状態に移行させる状態移行手段と
を備えた遊技機において、
前記役として、前記所定役にのみ当選となる単独当選役と、前記所定役及び前記再遊技役に当選となる複数当選役とが、前記当否判定情報記憶手段に少なくとも記憶され、
前記通常遊技状態下で前記複数当選役に当選した場合、前記再遊技役入賞が成立するように前記循環表示手段を停止表示制御する第１停止表示制御手段と、
前記特別遊技状態下で前記複数当選役に当選した場合、前記再遊技役入賞を成立させず、前記所定役入賞を成立させることが可能となるように前記循環表示手段を停止表示制御する第２停止表示制御手段と
を備えたことを特徴とする遊技機。
【請求項２】
前記役の抽選に当選した場合、当選した役と対応する当選情報を記憶する当選情報記憶手段を備え、前記表示制御手段を、前記当選情報記憶手段の記憶する当選情報と対応する入賞を成立させることが可能となるように、且つ前記当選情報記憶手段が再遊技役当選情報を記憶している場合には所定役当選情報の記憶有無に関わらず前記再遊技役入賞が成立するように前記循環表示手段を表示制御する構成とし、前記当選情報記憶手段は、前記複数当選役に当選した場合、通常遊技状態下であれば前記再遊技役当選情報と所定役当選情報を前記当選情報として記憶し、特別遊技状態下であれば前記所定役当選情報のみを前記当選情報として記憶することを特徴とする請求項１に記載の遊技機。
【請求項３】
周方向に周回すると共に、該周方向に複数種の絵柄が付された複数の周回体と、
前記各周回体について各絵柄のうち一部の絵柄を視認可能とする表示部と、
遊技媒体の受入を検出する受入検出手段と、
前記各周回体の周回を開始させるべく操作される始動操作手段と、
役の当否判定に用いる当否判定情報を記憶する当否判定情報記憶手段と、
前記遊技媒体の受入と前記始動操作手段の操作に基づき、前記当否判定情報を用いて役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記役の抽選結果及び前記各停止操作手段の操作に基づいて、操作された停止操作手段と対応する周回体の周回を停止させるよう前記各駆動手段を停止駆動制御する停止駆動制御手段と、
前記各周回体が周回を停止した場合、入賞成立となる絵柄又は絵柄の組合せが前記表示部から視認できる有効位置に停止したか否かを判定する入賞判定手段と、
前記役の抽選結果が所定役当選であって前記入賞判定手段が所定役入賞成立と判定した場合、遊技媒体を付与する遊技媒体付与手段と、
前記役の抽選結果が再遊技役当選であって前記入賞判定手段が再遊技役入賞成立と判定した場合、前記遊技媒体の受入を検出することなく次回の遊技を可能とする再遊技設定手段と、
前記役の抽選結果が特定役当選であって前記入賞判定手段が特定役入賞成立と判定した場合、遊技状態を通常遊技状態から遊技者に有利な特別遊技状態に移行させる状態移行手段と
を備えた遊技機において、
前記役として、前記所定役にのみ当選となる単独当選役と、前記所定役及び前記再遊技役に当選となる複数当選役とが、前記当否判定情報記憶手段に少なくとも記憶され、
前記役の抽選に当選した場合には当選した役と対応する当選情報を記憶すると共に、前記複数当選役に当選した場合には所定役当選情報と再遊技役当選情報を記憶する当選情報記憶手段と、
遊技状態を把握する遊技状態把握手段と、
前記遊技状態把握手段が前記通常遊技状態であると把握した場合、前記再遊技役当選情報が記憶されていれば前記所定役当選情報の記憶有無に関わらず前記再遊技役入賞が成立するように前記各駆動手段を停止駆動制御する第１停止駆動制御手段と、
前記遊技状態把握手段が前記特別遊技状態であると把握した場合、前記所定役当選情報が記憶されていれば前記所定役入賞を成立させることが可能となるように、且つ前記再遊技役当選情報が記憶されていたとしても前記再遊技役入賞が成立しないように前記各駆動手段を停止駆動制御する第２停止駆動制御手段と
を備えたことを特徴とする遊技機。
【手続補正書】
【提出日】平成21年8月26日(2009.8.26)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される始動操作手段と、
役毎に当選情報が定められた当選情報群を記憶する当選情報群記憶手段と、
前記始動操作手段の操作に基づき、前記当選情報群を用いて役の抽選を行う抽選手段と、
前記始動操作手段の操作に基づいて前記絵柄の循環表示を開始させると共に、前記抽選手段の抽選結果に基づいて前記絵柄の循環表示を停止させるよう前記循環表示手段を表示制御する表示制御手段と、
前記絵柄の循環表示が停止し、前記役の抽選結果と対応する当選絵柄が予め定めた有効位置に停止した場合、入賞成立として特典を付与する特典付与手段と、
所定条件が成立した場合、通常遊技状態より遊技者に有利な特別遊技状態に移行させる遊技状態移行手段と
を備えた遊技機において、
第１所定役に関する第１当選情報と、第２所定役に関する第２当選情報との少なくとも一部が重複するように前記各当選情報が定められた特定当選情報群を前記当選情報群記憶手段に記憶させ、
前記役の抽選結果が前記第１所定役及び前記第２所定役に共に当選である場合、前記第１所定役と対応する第１所定入賞を成立させることが可能であれば当該第１所定入賞を優先して成立させるように前記循環表示手段を表示制御する特定表示制御手段と、
遊技状態が前記特別遊技状態である場合、前記特定当選情報群における前記第１当選情報と前記第２当選情報の重複度合いが大きく又は小さくなるように前記第１当選情報を変更する当選情報変更手段と
を備えたことを特徴とする遊技機。
【請求項２】
前記当選情報変更手段は、前記第１当選情報のうち前記第２当選情報と重複する重複情報のみを変更することを特徴とする請求項１に記載の遊技機。
【請求項３】
前記当選情報変更手段は、前記第１当選情報のうち前記第２当選情報と重複しない単独情報を変更しないことを特徴とする請求項１に記載の遊技機。
【請求項４】
前記特典付与手段は、前記第２所定役と対応する第２所定入賞が成立した場合、前記第１所定入賞が成立した場合より遊技者の有利度合いが大きな特典を付与することを特徴とする請求項１乃至３のいずれか１に記載の遊技機。
【請求項５】
前記特定当選情報群では、前記第１当選情報と前記第２当選情報が全て一致するように前記各当選情報を定め、前記当選情報変更手段は、変更後の第１当選情報が前記第２当選情報と全て一致するように、且つ前記第２当選情報の一部が前記変更後の第１当選情報と一致しないように、前記第１当選情報を変更することを特徴とする請求項４に記載の遊技機。